Podtech/llm-jp-corpus-v4-ja_patent huggingface dataset:
(57)【要約】      （修正有）【課題】靴紐を迅速かつ容易に固定することができる靴紐留め具を提供する。【解決手段】一組の部材１からなる靴紐留め具であって、２つの部材１が一組になっている。双方の部材１の形状は対称で、部材１は、靴紐を固定する靴紐固定部２８ａ，２８ｂ，２８ｃと、部材同士を固定する部材固定部３０ａ，３０ｂ，３０ｃと、を有する。【選択図】図１
0003200718.tif 000002
【実用新案登録請求の範囲】
【請求項１】
一組の部材からなる靴紐留め具であって、前記部材は、
靴紐を固定する靴紐固定部と、
前記部材同士を固定する部材固定部と、
を有する靴紐留め具。
【請求項２】
前記靴紐固定部は前記部材の一方側に形成された靴紐連通用の少なくとも一つの貫通孔からなり、前記部材固定部は前記貫通孔とは反対側に配置された磁石からなる請求項１に記載の靴紐留め具。
【考案の詳細な説明】
【技術分野】
【０００１】
本考案は、靴紐留め具に関する。
【背景技術】
【０００２】
靴紐を結んで固定することは困難な場合がある。このため、予め靴紐を留め具に通しておき、留め具と靴紐との固定具合を調整して、靴紐の固定及び固定解除を行う技術が提案されている（例えば、特許文献１）。
【特許文献１】特開２００８−２２０９０８号公報
【考案の概要】
【考案が解決しようとする課題】
【０００３】
靴紐を固定する際に、固定作業の迅速性、固定作業の容易性が求められる場合がある。上述の技術においては、靴紐の固定及び固定解除の際に、留め具と靴紐との固定具合を調整する必要があるため、固定作業の迅速性及び容易性が十分ではない。
【０００４】
本考案はかかる問題の解決を試みたものであり、靴紐を迅速かつ容易に固定することができる靴紐留め具の提供を目的とする。
【課題を解決するための手段】
【０００５】
第一の考案は、一組の部材からなる靴紐留め具であって、前記部材は、靴紐を固定する靴紐固定部と、前記部材同士を固定する部材固定部と、を有する靴紐留め具である。
【０００６】
第一の考案の靴紐留め具によれば、双方の部材にそれぞれ靴紐を固定したうえで、双方の部材同士を固定することによって、左右の靴紐を互いに固定することができる。このため、靴紐を迅速かつ容易に固定することができる。
【０００７】
第二の考案は、第一の考案において、前記靴紐固定部は前記部材の一方側に形成された靴紐連通用の少なくとも一つの貫通孔からなり、前記部材固定部は前記貫通孔とは反対側に配置された磁石からなる靴紐留め具である。
【０００８】
第二の考案の靴紐留め具によれば、各部材に形成された貫通孔に靴紐を固定することができ、双方の磁石が互いに吸着することによって双方の部材が互いに固定され、その結果として、左右の靴紐が互いに固定される。
【考案の効果】
【０００９】
以上のように、本考案の靴紐留め具によれば、靴紐を迅速かつ容易に固定することができる。
【図面の簡単な説明】
【００１０】
【図１】部材１を示す斜視図である。
【図２】部材１の平面図である。
【図３】部材１の側面図である。
【図４】一組の部材１からなる靴紐留め具の使用方法を示す図である。
【考案を実施するための形態】
【００１１】
本考案の実施形態を、以下の実施例に従って説明する。
【００１２】
図１に示すように、靴紐留め具は部材１からなる。靴紐留め具は、２つの部材１が一組になっている（図４参照）。双方の部材１の形状は対称なので、図１〜３においては、一方のみを図示し、一方のみを説明し、他方の説明は省略する。
【００１３】
図１に示すように、部材１は、上面１２、斜面１４、前面１６、側面１８及び２０、背面２２及び底面２４からなる。斜面１４は、曲面として形成されている（図３参照）。部材１は、ポリアミド樹脂、ＡＢＳ樹脂、ポリエチレン樹脂（Ｐｏｌｙｅｔｈｅｌｅｎｅ）、ポリスチレン樹脂（Ｐｏｌｙｓｔｙｒｅｎｅ）などの樹脂、あるいは、アルミニウム合金等の金属等の材料で形成される。
【００１４】
図１〜図３に示すように、部材１の一方側である前面１６側には、貫通孔２８ａ，２８ｂ及び２８ｃが形成されている。貫通孔２８ａ，２８ｂ及び２８ｃは、斜面１４から底面２４へ貫通している。
【００１５】
部材１において、貫通孔２８ａ，２８ｂ及び２８ｃの孔列とは反対側である背面２２側には、磁石３０ａ，３０ｂ及び３０ｃが配置されている。磁石３０ａ，３０ｂ及び３０ｃは、背面２２には露出せず、部材１に埋め込まれている。磁石３０ａ等は、十分に強力な磁気特性を有するもので、例えば、希土類焼結磁石等である。磁石３０ａ等の形状は、例えば、円板状である。
【００１６】
図４に示すように、靴紐留め具を構成する一組の部材１，１の貫通孔２８ａ，２８ｂ及び２８ｃに左右の靴紐１００Ｌ，１００Ｒが通されて（図４では、孔２８ｃのみを表示）、靴紐１００Ｌ，１００Ｒが部材１，１に固定される。部材１，１に配置された磁石３０ａ等（図４では、磁石３０ｃのみを表示）が互いに引きつけ合い、部材１，１が互いに吸着固定される。図４に示すように、一方の部材１と他方の部材１は、磁石３０ｃ，３０ｃの背面２２側の極性が、一方はプラス（＋）、他方はマイナス（−）になっており、互いに吸着するようになっている。
【００１７】
なお、本考案の靴紐留め具は、上記実施例の形態に限らず、本考
案の要旨を逸脱しない範囲内において種々変更を加えることができる。
【符号の説明】
【００１８】
１  部材
１２  上面
１４  斜面
１６  前面
１８，２０  側面
２２  背面
２４  底面
２８ａ，２８ｂ，２８ｃ  貫通孔
３０ａ，３０ｂ，３０ｃ  磁石
【図１】
0003200718.tif 000003
【図２】
0003200718.tif 000004
【図３】
0003200718.tif 000005
【図４】
0003200718.tif 000006
(57)【要約】      （修正有）【課題】設置場所の所定範囲の人の動きを検知し、画像データとして撮像し、画像データの外部への送信、及び／又は、記録を行っていた撮像装置において、別の部屋、玄関、裏口等での人の動きを検知し、撮像装置を動作させるセンサ信号受信変換出力装置を提供する。【解決手段】センサ信号受信変換出力装置１は、別の部屋、玄関、裏口等に設置された、外部のセンサ送信機２００からのセンサ信号を受信部２０で受信し、変換出力部３０で変換し、出力端子から撮像装置１００に出力することにより、撮像装置１００では撮像装置１００の設置場所の所定範囲とは別の画像データを撮像し、画像データの外部への送信、及び／又は、記録を行わせることができる。【選択図】図２
0003200761.tif 000002
【実用新案登録請求の範囲】
【請求項１】
外部のセンサ送信機よりのセンサ信号を受信する受信部と、受信したセンサ信号を変換し出力する変換出力部とを有するセンサ信号受信変換出力装置。
【考案の詳細な説明】
【技術分野】
【０００１】本考案は、外部のセンサ送信機よりのセンサ信号を受信し、受信したセンサ信号を電気信号に変換し撮像装置に出力し動作を制御する装置に関する。
【背景技術】
【０００２】設置場所の所定範囲を画像データとして撮像し、画像データの外部への送信、及び／又は、記録を行う撮像手段と、撮像手段近傍に設けられる人の動きを感知する人感センサと、撮像手段を制御する制御装置とを有する撮像装置があった。
【先行技術文献】
【特許文献】
【０００３】
【特許文献１】実用新案登録第３１８７０３４号
【考案の概要】
【考案が解決しようとする課題】
【０００４】従来の撮像装置では、撮像手段近傍に設けれられる人の動きを感知する人感センサによって撮像手段を制御していたため、例えば、別の部屋、玄関、裏口等での人の動きを検知して撮像装置を動作させることができなかった。
本考案は、このような問題に鑑みて、離れた所での人の動きを感知し、撮像装置を動作させることを課題とする。
【課題を解決するための手段】
【０００５】上記課題を解決するために、本考案は次のような構成を有する。
請求項１に記載の考案は、外部のセンサ送信機よりのセンサ信号を受信する受信部と、受信したセンサ信号を変換し出力する変換出力部とを有するセンサ信号受信変換出力装置である。
【考案の効果】
【０００６】以上のような構成により、本考案にセンサ信号受信変換出力装置は、外部のセンサ送信機からのセンサ信号を受信部で受信し、変換出力部で変換し、出力することにより、別の部屋、玄関、裏口等での人の動きを検知して撮像装置を動作させることができる。
【図面の簡単な説明】
【０００７】
【図１】実施形態に係るセンサ信号受信変換出力装置の図である。
【図２】実施形態に係る受信変換出力装置のブロック図である。
【考案を実施するための形態】
【０００８】以下、本考案の実施の形態について、図面を参照しながら説明する。  図１に本実施形態に係るセンサ信号受信変換出力装置１の図を示す。センサ信号受信変換出力装置１は筐体１０の内部に受信部２０（図示せず）、変換出力部３０（図示せず）が内蔵されており、出力端子４０が設けられ撮像装置１００（図示せず）に変換した信号を出力できるようになっている。
【０００９】図２にセンサ信号受信変換出力装置１の構成を模式的に表すブロック図で示す。図に示すように受信部２０は外部のセンサ送信機２００からのセンサ信号受信を行い、変換出力部３０は受信した信号を電気信号に変換し、変換した電気信号を撮像装置１００に出力する。
【００１０】センサ信号受信変換出力装置１は、別の部屋、玄関、裏口等に設置された、外部のセンサ送信機２００からのセンサ信号を受信部２０で受信し、変換出力部３０で変換し、出力端子４０から撮像装置１００に出力することにより、撮像装置１００では撮像装置１００の設置場所の所定範を画像データとして撮像し、画像データの外部への送信、及び／又は、記録を行わせることができる。
【符号の説明】
【００１１】    １  センサ信号受信変換出力装置
１０  筐体
２０  受信部
３０  変換出力部
４０  出力端子
１００  撮像装置
２００  外部のセンサ送信機
【図１】
0003200761.tif 000003
【図２】
0003200761.tif 000004
(57)【要約】      （修正有）【課題】除雪、土砂の運搬作業においては、前屈みの姿勢となる為、これを緩和することが出来る、補助ハンドル付きスコップを提供する。【解決手段】スコップの軸部２の前面上部にアーチ状、又はコの字状の、補助ハンドル３を取り付け、作業する時は、片手でグリップ１を持ち、もう片方の手で、この補助ハンドルをつかんで作業を行なう。そうすれば、前かがみの姿勢が緩和されて、腰に負担が掛からず、楽に作業ができ、能率が上がる。【選択図】図１
0003200762.tif 000002
【実用新案登録請求の範囲】
【請求項１】
スコップ軸部の上面に保持する為の、補助ハンドルを付けた事を特徴とする補助ハンドル付きスコップ。
【請求項２】
その補助ハンドルは、スコップの軸部の反対側から木ネジを貫通させて軸部の本体に固定する事を特徴とする、請求項１記載のスコップ。
【請求項３】
その補助ハンドルの先端部は、ネジが切られていて、スコップの軸部の本体を貫通して、ネジで固定する事を特徴とする、請求項１記載のスコップ。
【請求項４】
その補助ハンドルの先端部は、中空になった軸部に差し込んで固定する事を特徴とする、請求項１記載のスコップ。
【考案の詳細な説明】
【技術分野】
【０００１】本考案は除雪、土砂運搬作業における、上半身のキツイ前かがみ姿勢を緩和し、楽な姿勢での作業を可能にする、使い易い除雪、土砂運搬用具に関する。
【背景技術】
【０００２】従来において、市販されている除雪、土砂用スコップは、軸部が真っ直ぐな為に、使う場合には、片方の手で軸部の下の部分を掴まなくてはいけなかった。【０００３】そのためキツイ前傾姿勢を強いられて、作業は苦しいものであった。
新しく開発されたスコップもあるが、軸部は太く金属製で湾曲している。
それにより重量が重くなり、価格も普通のスコップより高い。
【考案の概要】
【考案が解決しようとする課題】
【０００４】スコップを使う時、片手はグリップを握り、もう片方の手はスコップの軸部を握らないといけない、そうするとスコップを使う時に、苦しい前傾姿勢となる。
【課題を解決するための手段】
【０００５】スコップの軸部に、補助ハンドルを付けて、その部分を握って作業すれば、体全体が起きて、苦しい前傾姿勢をしないで作業できる。【０００６】この補助ハンドルは、スコップの軸部よりも、細めの物を採用している為、掴み易く、価格も高くない。
【考案の効果】
【０００７】これにより、雪かき作業等をする人は、体を起こした状態で作業する事が出来て、極端な前傾姿勢で、健康を害する事もなく、疲労が軽減され、作業の能率も上がる。【０００８】本考案の補助ハンドルは、既存のスコップに取り付けて使う事が出来るので、新しくスコップを買う必要はなく、資源の有効利用が図れる。【０００９】上述の考案は、女性、高齢者、腰痛持ちの人向けに、考えられた物であるが、男性でも、誰にでも使い易く考えられた、ユニバーサルデザインの製品である。
【図面の簡単な説明】
【００１０】
【図１】  補助ハンドルをスコップに取り付けて使う時の図。
【図２】  軸部の反対側から、木ネジを貫通させて、補助ハンドルを固定した図。
【図３】  補助ハンドルの先端にネジを切って、ナットで固定した図。
【図４】  中空の軸部に補助ハンドルを差し込んで固定した図。
【符号の説明】
【００１１】  １…グリップ
２…軸部
３…補助ハンドル
４…木ネジ
５…ナット
６…中空の軸
【図１】
0003200762.tif 000003
【図２】
0003200762.tif 000004
【図３】
0003200762.tif 000005
【図４】
0003200762.tif 000006
(57)【要約】      （修正有）【課題】汗ばむ季節の着用の際、濡れ衣を巻付けた不快感が減少し、快適にワイシャツネクタイの着用が可能となるワイシャツを提供する。【解決手段】衿台１の外面端に設けたボタンホール状切り口３より、湾曲可能で復元性を有する平板の衿爪２を脱挿入が可能な状態で挿入したことを特徴とする。【選択図】図１
0003200741.tif 000002
【実用新案登録請求の範囲】
【請求項１】
一般ワイシャツ裁縫形状衿台外面端ボタンホール状切り口より湾曲可能復元性平板素材衿爪の復元性質を活用し、ワイシャツ着用時脱挿入し、衿台と人体首元周とに、隙間を生じさせる仕組み。
【考案の詳細な説明】
【技術分野】
【０００１】衿元に湾曲可能平板衿爪の脱挿入を容易に可能とすることによって、衿爪の平板形状復元性質を活用し、衿台と首元周との隙間を発生、維持が可能。
【背景技術】
【０００２】ワイシャツは、夏場の最高気温２２度程度の、外国寒冷地発祥であり形態及び概念は、熱帯及び亜熱帯もしくは、温度上昇化地域では、ワイシャツの首筋接触の不快感は否定できない。現在画一的適用から脱却への流れも生じているが、しかし、ネクタイワイシャツ礼服は、依然国内外一般風潮、社交上国際的基本スタイルであるが、着用時不快感は、改善の余地を残している。
【考案の概要】
【考案が解決しようとする課題】
【０００３】特に温暖時ワイシャツ衿元と人体首元との不快な接触を最小限にとどめる。
【課題を解決するための手段】
【０００４】人体首元とワイシャツ衿元との接触を最小限度極力抑え、全周的隙間が生じるよう、ワイシャツ衿台の大きさを人体首元より大きめに裁縫された、もしくは、裁縫しワイシャツ衿台端より、湾曲可能原型復元性平板衿爪を挿入し、ワイシャツ着用時、人体首元周と衿台との間に全周的隙間を生じさせる。
【考案の効果】
【０００５】人体首元とワイシャツ衿台との間に全周的隙間が発生することによって、特に、汗ばむ季節の着用の際、濡れ衣を巻付けた不快感が減少し、国内外一般風潮及び基本スタイルを払拭することなく、快適にワイシャツネクタイの着用が可能となる。
【図面の簡単な説明】
【０００６】
【図１】一般裁縫形状ワイシャツ衿台端ボタンホール状切り口より、湾曲可能原型復元性平板挿脱入時正面図
【図２】図１断面図
【図３】衿台へ湾曲可能原型復元性平板挿入ワイシャツ着用時隙間発生斜視図
【符号の説明】
【０００７】１  ワイシャツ衿台
２  湾曲可能原型復元性平板衿爪
３  ボタンホール状切り口
【図１】
0003200741.tif 000003
【図２】
0003200741.tif 000004
【図３】
0003200741.tif 000005
【手続補正書】
【提出日】平成27年8月4日(2015.8.4)
【手続補正１】
【補正対象書類名】実用新案登録請求の範囲
【補正対象項目名】全文
【補正方法】変更
【補正の内容】
【実用新案登録請求の範囲】
【請求項１】
衿台の外面端に設けたボタンホール状切り口より、湾曲可能で復元性を有する平板の衿爪を脱挿入が可能な状態で挿入したことを特徴とするワイシャツ。
(57)【要約】      （修正有）【課題】農作業時や活動時などに吊り下げ用蚊取り線香皿の裏返しや揺れによる不安定を解消し、腕や足、腰に装着させ、固定できる蚊取り線香皿を提供する。【解決手段】蚊取線香皿１の受皿の裏側にベルト止め金具２を弾性接着剤で接着し、蚊取り線香皿１の受皿とベルト止め金具２にベルト４を通し、ベルト４で腕や足、腰に装着可能としたことを特徴とする。【選択図】図２
0003200745.tif 000002
【実用新案登録請求の範囲】
【請求項１】
（１）蚊取り線香皿の受皿の裏側にベルト止め金具を弾性接着剤で接着、
（２）蚊取り線香皿の受皿とベルト止め金具の間にベルトを通して、ベルトで腕や足、腰に装着後、蚊取り線香皿を固定、
以上の（１）〜（２）の構成からなる蚊取り線香皿の固定
【考案の詳細な説明】
【技術分野】
【０００１】  本考案は、蚊取り線香皿の受皿の裏側にベルト止め用金具を接着し、蚊取り線香皿の受皿とベルト止め用金具の間にベルトを通し、ベルトで腕や足、腰に固定させ、装着時に線香皿の裏返しや線香皿が揺れて農作業や活動で邪魔にならないようにする。
【背景技術】
【０００２】  農作業や活動時に吊るした蚊取り線香皿が裏返しになり、上蓋が熱く感じる時があった。また、吊るした線香皿が揺れて不安定な為、農作業時や活動時に邪魔になった。
【考案の概要】
【考案が解決しようとする課題】
【０００３】  蚊取り線香皿を腕や足、腰に固定することを課題とする。
【課題を解決するための手段】
【０００４】  蚊取り線香皿の受皿にベルト止め金具を裏側に接着し、受皿と金具の間にベルトを通して装着させ、蚊取り線香皿を固定することで解決される。
【考案の効果】
【０００５】    蚊取り線香皿が腕や足、腰にベルトにより固定され農作業や活動時に蚊取り線香皿が裏返しや揺れて不安定にならない効果がある。
【図面の簡単な説明】
【図１】考案した蚊取り線香皿を示した側面図である。
【図２】考案した蚊取り線香皿を示した正面図である。
【考案を実施するための形態】
蚊取り線香皿の受皿に接着したベルト止め金具にベルトを通し、ベルトで腕や足、腰に装着させ、蚊取り線香皿を固定する。
【実施例】    以下、添付図面に沿って一実例を説明する。  １．蚊取り線香皿の受皿の裏側に２．ベルト止め金具を弾性接着剤で接着する。蚊取り線香を入れ３．蚊取り線香皿蓋ストッパーで蓋が落ちないようにする。４．ベルトを１．蚊取り線香皿の受皿と２．ベルト止め金具の間に通し、ベルトで腕や足、腰に装着させ、蚊取り線香皿を固定する。
【産業上の利用可能性】
【符号の説明】１．蚊取り線香皿
２．ベルト止め金具
３．蚊取り線香皿蓋ストッパー
４．ベルト
【図１】
0003200745.tif 000003
【図２】
0003200745.tif 000004
【図３】
0003200745.tif 000005
【手続補正書】
【提出日】平成27年8月5日(2015.8.5)
【手続補正１】
【補正対象書類名】実用新案登録請求の範囲
【補正対象項目名】全文
【補正方法】変更
【補正の内容】
【実用新案登録請求の範囲】
【請求項１】
蚊取線香皿の受皿の裏側にベルト止め金具を弾性接着剤で接着し、
前記蚊取り線香皿の受皿と前記ベルト止め金具にベルトを通し、
前記ベルトで腕や足、腰に接着可能としたことを特徴とする蚊取り線香皿。
【手続補正２】
【補正対象書類名】明細書
【補正対象項目名】全文
【補正方法】変更
【補正の内容】
【考案の詳細な説明】
【技術分野】
【０００１】  本考案は、蚊取り線香皿の受皿の裏側にベルト止め用金具を接着し、蚊取り線香皿の受皿とベルト止め用金具の間にベルトを通し、ベルトで腕や足、腰に固定させ、装着時に線香皿の裏返しや線香皿が揺れて農作業や活動で邪魔にならないようにする。
【背景技術】
【０００２】  農作業や活動時に吊るした蚊取り線香皿が裏返しになり、上蓋が熱く感じる時があった。また、吊るした線香皿が揺れて不安定な為、農作業時や活動時に邪魔になった。
【考案の概要】
【考案が解決しようとする課題】
【０００３】  蚊取り線香皿を腕や足、腰に固定することを課題とする。
【課題を解決するための手段】
【０００４】  蚊取り線香皿の受皿にベルト止め金具を裏側に接着し、受皿と金具の間にベルトを通して装着させ、蚊取り線香皿を固定することで解決される。
【考案の効果】
【０００５】  蚊取り線香皿が腕や足、腰にベルトにより固定され農作業や活動時に蚊取り線香皿が裏返しや揺れて不安定にならない効果がある。
【図面の簡単な説明】
【図１】考案した蚊取り線香皿を示した側面図である。
【図２】考案した蚊取り線香皿を示した正面図である。
【図３】考案した蚊取り線香皿を装着した図で上腕、手首にベルトで固定及びウエストベルトに通して装着した図である。
【考案を実施するための形態】
蚊取り線香皿の受皿に接着したベルト止め金具にベルトを通し、ベルトで腕や足、腰に装着させ、蚊取り線香皿を固定する。
【符号の説明】１．蚊取り線香皿
２．ベルト止め金具
３．蚊取り線香皿蓋ストッパー
４．ベルト
(57)【要約】      （修正有）【課題】船舶が転覆して船底が上になって浮いている場合に、それ以上の沈没を避ける、船員救出装置を備えた船を提供する。【解決手段】ブイや、救難船の浮力を利用し、綱や、鋼索を沈没船の船腹に装備してある穴３に通し繋留して置く。船腹にある繋留用の穴３の大きさはワイヤが通れば良く、形は自在だし数量も限定されていないので装飾兼用にもなる。船底やや中央の巨大ヒートンは起重機船用のもので流水学上、埋め込み箱４の中に、設置して納入して置くと良い。【選択図】図１
0003200742.tif 000002
【実用新案登録請求の範囲】
船底や船腹に巨大ヒートンや、棒状、又は鉄素材の帯状平板等に綱や鋼索の入る穴を開けたものを多く装備した船。
【考案の詳細な説明】
【考案の詳細な説明】
船舶が転覆し回転して、船底が上になった場合、それ以上の沈没を避けるために、船底には巨大ヒートンの様なものを、航海の邪魔にならないように、はめ込み箱の中に付け、強靭素材で出来た棒状や帯状平板等、それに多くの穴を開けたものを、船腹の周りに備え付けた船。
【図面の簡単な説明】
【図１】１は、船底、５は、海上  ３、の穴には綱や鋼索を通し、ブイや、多くの救難船の浮力を利用しそれに繋留しておくと沈没は免れる、先ずは現状維持が第一である、船底の巨大ヒートンは起重機船用で吊り下げ専用、又２のハッチは、繋留で沈まなくなったら、潜水艦仕様の内外から開閉出来る蓋なので、閉じられた人間は、それを開け脱出をする。４は、巨大ヒートン埋め込み箱、３の並行穴は、装飾兼用に、お参考までに。
【図１】
0003200742.tif 000003
(57)【要約】      （修正有）【課題】残量が少なくなったシャンプー、コンディショナー等を、最後はボトルを開封することにより最後まで使用することができるとともに、液体の長期間保存によるボトル内部の汚れ等を洗浄できるなど、再利用の際の清潔さが確保され、エコボトルとしての長期継続利用が可能となるボトルを提供する。【解決手段】シャンプーやコンディショナー等の液体容器において、ボトル本体の底部とボトル受けの上部に設けられた接合部を嵌合、あるいはねじ込みで着脱自在にし、ボトル受けは底面の中心がボトル受けのサイドより低く、かつ、残る液体がボトル中央部に収集できることを特徴とする。【選択図】図２
0003200746.tif 000002
【実用新案登録請求の範囲】
【請求項１】
シャンプー・コンディショナー等のボトルの底から約２．５ｃｍ上の部分に、ボトルを上部と下部に分解できる切込みを入れ、更にねじ回し式で開閉できるとともに、底面の中心が低い容器にした。
これにより、底の部分が開閉できるようになり、全てを使い切ることができ、エコボトルとしての長期継続使用のために、内部の汚れ等を洗浄し清潔さを保持することができる。
【考案の詳細な説明】
【考案の概要】
【考案が解決しようとする課題】
【００１】  シャンプー、コンディショナー等は、資源削減のため、詰め替え用パックが販売されているが、現在販売されているボトルについては、底から約１ｃｍ位に残った時点で、ポンプに空気が入ってしまい、最後まで使い切ることが難しいという問題点があった。
そこで、ボトル内の液体を使い切るためには、最後はボトルを逆さまにするなど、使用者が使い切るための工夫をしなければならないという課題があった。
【課題を解決するための手段】
【００２】  ボトル内の液体を最後まで綺麗に使い切るために、▲１▼ボトルの底から約２．５ｃｍ位の部分に切込みを入れ、ねじ回し式にし、自由に開封・密閉ができる、▲２▼底の部分は、中心を低くサイドを高くすることにより、液体が自然と中心に集まる、の２点を改善した。
【考案の効果】
【００３】  残量が少なくなったシャンプー、コンディショナー等を、最後はボトルを開封することにより最後まで使用することができるとともに、液体の一定期間保存によるボトル内部の汚れ等を洗浄できるなど、再利用の際の清潔さの継続が可能となり、エコボトルとしての長期継続利用が可能となる。
【図面の簡単な説明】
【００４】
【図１】切込みの入ったボトルの全体図面である。
【図２】切込み部分のねじ回し式開閉部分の図面である。
【図３】底の部分の中心を低くするための平面図である。
【図１】
0003200746.tif 000003
【図２】
0003200746.tif 000004
【手続補正書】
【提出日】平成27年8月7日(2015.8.7)
【手続補正１】
【補正対象書類名】実用新案登録請求の範囲
【補正対象項目名】全文
【補正方法】変更
【補正の内容】
【実用新案登録請求の範囲】
【請求項１】
シャンプーやコンディショナー等の液体容器において、ボトル本体１の底部とボトル受け２の上部に設けられた接合部を嵌合、あるいはねじ込みで着脱自在にし、ボトル受け２は底面の中心がボトル受け２のサイドより低く、かつ、残る液体がボトル中央部に収集できることを特徴とするボトル。
【手続補正２】
【補正対象書類名】明細書
【補正対象項目名】全文
【補正方法】変更
【補正の内容】
【考案の詳細な説明】
【考案の概要】
シャンプーやコンディショナー等の液体容器は、資源削減のため、詰め替えパックを利用し、これにより容器を再利用することが多いが、特にポンプ式液体取り出し容器の場合、残量がごく少なくなると空気が入り、液体を完全に使い切ることが難しいことから、ボトル本体１とボトル受け２を切り離し、ボトル受けに残された液体を容易に取り出すとともにボトル内の清掃を可能にした。
【考案が解決しようとする課題】
【０００１】  シャンプーやコンディショナー等の液体容器は、資源削減のため、詰め替えパックを利用し、これにより容器を再利用することが多いが、特にポンプ式液体取り出し容器の場合、残量がごく少なくなると空気が入り、液体を完全に使い切ることが難しいことから、容器を逆さまにするなど、使用者が使い切る工夫をしなければならないという課題があった。
【課題を解決するための手段】
【０００２】  ボトル内の液体を最後まで使い切るために、ボトル本体１の底部とボトル受け２を嵌合、あるいはねじ込み構造で着脱自在とするとともに、底面の中心がボトル受け２のサイドより低くし、かつ、残る液体がボトル中央部に収集できる形状にすることにより、残る液体を使い切る際には、ボトル本体１とボトル受け２を切り離し、ボトル受け２に収集された液体を容易に取り出すことを可能とした。
【考案の効果】
【０００３】  残量が少なくなったシャンプーやコンディショナー等を、最後はボトルを開封することにより最後まで使い切ることができるとともに、液体の長期間保存によるボトル内部の汚れ等を洗浄できるなど、再利用の際の清潔さが確保され、エコボトルとしての長期継続利用が可能となる。
【図面の簡単な説明】
【０００４】
【図１】  図１は、ポンプ式によるシャンプー及びコンデッショナー等を入れた使用状態の全体図であり、ボトル本体１とボトル受け２は嵌合、あるいはねじ込み構造で密封状態にあり、液体を取り出す場合はハンドル３を押し下げる。
【図２】  図２は、ポンプ式によるシャンプー及びコンデッショナー等の液体が、通常の使い方では取り切れない、ボトルの底部に溜まった液体を取り出すために、嵌合、あるいはねじ込み構造で密封状態にあるボトル本体１とボトル受け２を切り離した状態の図である。
【図３】  図３は、底部に溜まった液体を容易に取り出すことができるように、ボトル受け２の底面は、ボトル受け２の中心が、ボトル受け２のサイドより低く、かつ、残る液体がボトル受け２の中央部に収集できる構造を示す。
【手続補正３】
【補正対象書類名】図面
【補正対象項目名】全図
【補正方法】変更
【補正の内容】
【図１】
0003200746.tif 000005
【図２】
0003200746.tif 000006
【図３】
0003200746.tif 000007
(57)【要約】      （修正有）【課題】円錐形ドリッパーにも装着出来る舟形コーヒーフィルターを提供する。【解決手段】舟形フィルター底部の接合部を片側部へ変更して、両側部１、２をそれぞれ接合する。一方、底部は折り目３になり、折れ線を付して線に従って谷折りに出来るようにする。そうすることで、底部の幅が狭くなり、円錐形ドリッパーに装着可能になる。また、元に戻す事で舟形のドリッパーにも装着できる。【選択図】図１
0003200707.tif 000002
【実用新案登録請求の範囲】
【請求項１】
両側部の接合し、底部に接合部を設けていないことを特徴とする、舟形フィルター。
【請求項２】
底部に折り線を付し、線に従って折る事で底部が円錐形状になるようにした請求項1記載の舟形フィルター。 
【考案の詳細な説明】
【技術分野】
【０００１】
ドリップ方式のコーヒーフィルターである。
【背景技術】
【０００２】
従来の舟形フィルターは、接合部が底部と片側部にあり、舟形ドリッパー専用に使用されていた。
【先行技術文献】
【特許文献】
【０００３】
【特許文献１】実登３０８２０３７号公報
【考案の概要】
【考案が解決しようとする課題】
【０００４】
従来の舟形フィルターは、底部と片側部が接合しており、その両接合部を折り、舟形ドリッパーに装着するが、円錐形ドリッパーには装着出来ない。  
【課題を解決するための手段】
【０００５】
従来の舟形フィルター底部の接合部を片側部へ変更し、両側部をそれぞれ接合する。一方、底部に折れ線を付して線に従って谷折りに出来るようにする。
【０００６】
底部を谷折りにすることで、底部の幅が狭くなり、円錐形ドリッパーに装着可能になる。また、元に戻す事で舟形のドリッパーにも装着可能できる。
【考案の効果】
【０００７】
舟形ドリッパーと円錐形ドリッパーを１つのフィルターで共有することができる。
【図面の簡単な説明】
【０００８】
【図１】フィルター側面図
【図２】フィルター分解図
【図３】舟形ドリッパーに装着した側面図
【図４】円錐形ドリッパーに装着した平面図
【図５】円錐形ドリッパーに装着した側面図
【図６】従来型のフィルターの側面図
【考案を実施するための形態】
【０００９】
以下、考案を実施するための形態を説明する。
図２のフィルター分解図の左側の接合部１右側の接合部２をそれぞれ接合すると、図１のフィルター側面図になる。
【００１０】
そのまま使用すれば、舟形ドリッパーに装着することができ、底部折り目３を内側に谷折り４にして、底の幅を狭くすることで円錐形ドリッパーに装着出来る。
【実施例】
【００１１】
フィルターをそのまま使用すると図3舟形ドリッパーに装着でき、底面を谷折りにすると図５円錐形ドリッパーに装着できる。
【産業上の利用可能性】
【００１２】
舟形フィルターと円錐形フィルターのフィルターで使い分ける事ができる為、別々に生産するムダが省ける。
【符号の説明】
【００１３】
１  左側の接合部
２  右側の接合部
３  底部の折り目
４  谷折り
【図１】
0003200707.tif 000003
【図２】
0003200707.tif 000004
【図３】
0003200707.tif 000005
【図４】
0003200707.tif 000006
【図５】
0003200707.tif 000007
【図６】
0003200707.tif 000008
(57)【要約】      （修正有）【課題】反射音の空気吸収を考慮して、Ｌ−Ｒ（Ｒ−Ｌ）の高域成分を演奏会場の大きさに合わせて適度に減衰させるスピーカーマトリックスを提供する。【解決手段】左右のスピーカーのマイナス極同士を結線し、左のスピーカーのプラス極をアンプの出力端子のＬのプラス極に、右のスピーカーのプラス極をアンプの出力端子のＲのプラス極に接続する際、つまり、スピーカーをアンプにマトリックス接続する際に、１２ｄＢ／ｏｃｔのＬＣローパスフィルターを通して接続する。高域を減衰させることにより、いっそう反射音に近づけることができる。ローパスフィルターの遮断周波数を可変にすることにより、演奏会場の大きさに合わせた高域の減衰を実現できる。【選択図】図２
0003200737.tif 000002
【実用新案登録請求の範囲】
【請求項１】
１２ｄＢ／ｏｃｔのローパスフィルターを通して接続するスピーカーマトリックス。
【考案の詳細な説明】
【技術分野】
【０００１】  本考案は、１２ｄＢ／ｏｃｔのローパスフィルターを通して接続するスピーカーマトリックスに関するものである。
【背景技術】
【０００２】  多数のスピーカーマトリックスが考案されており、通常Ｌ−Ｒ（Ｒ−Ｌ）の音は反射音と考えられているが、音の空気吸収については考慮されていない。
【考案の概要】
【考案が解決しようとする課題】
【０００３】  スピーカーマトリックスのＬ−Ｒ（Ｒ−Ｌ）の音は通常反射音と考えられている。しかし、音は周波数の高い成分ほど、また距離が大きいほど空気吸収されるので、反射音は演奏会場が大きいほど高い周波数成分が失われている。それで、スピーカーマトリックスのＬ−Ｒ（Ｒ−Ｌ）の高域成分を演奏会場の大きさに合わせて適度に減衰させてやる必要がある。
【課題を解決するための手段】
【０００４】  音は周波数の２乗に比例して空気吸収されると一般に考えられている。それで、周波数の２乗に比例して減衰する１２ｄＢ／ｏｃｔのローパスフィルターで高域を減衰させてやるなら、いっそう反射音に近くなると考えられる。また、ローパスフィルターの遮断周波数を可変にすることにより、演奏会場の大きさに合わせた高域の減衰を実現できる。
【考案の効果】
【０００５】  本考案は次のような効果を奏する。
（１）スピーカーマトリックスのＬ−Ｒ（Ｒ−Ｌ）の音を、１２ｄＢ／ｏｃｔのローパスフィルターを使って高域を減衰させてやることにより、いっそう反射音に近づけることができる。【０００６】  （２）ローパスフィルターの遮断周波数を可変にすることにより、演奏会場の大きさに合わせた高域の減衰を実現できる。６ｄＢ／ｏｃｔのローパスフィルターを使った場合と比較してみると、１２ｄＢ／ｏｃｔの方がより適切な効果が得られる。【０００７】  （３）メインのフロントスピーカー（直接音）とマトリックス用のスピーカー（反射音）の音量の相対的な差により、演奏会場でのリスニングの位置を決めることができる。【０００８】  （４）ローパスフィルターの遮断周波数と演奏会場の大きさに関して次のことが分かる。
▲１▼遮断周波数の値が演奏会場の大きさを決定し、直接音と反射音の音量の相対的な差が演奏会場でのリスニングの位置に対応する。
▲２▼遮断周波数が無限大の場合は、演奏会場の大きさが０で、リスニングの位置は音源と同じ位置にのみ存在し、スピーカーの音量を厳密に合わせなければならない。これは従来のスピーカーマトリックスに相当する。
▲３▼遮断周波数が０の場合は、演奏会場の大きさが無限大で、反射音が０の場合に相当する。したがって、直接音のみとなり、スピーカーマトリックスを使わない場合に相当する。
【図面の簡単な説明】
【０００９】
【図１】本考案を実施するスピーカーマトリックスの一例である。
【図２】本考案で用いるローパスフィルターの一例である。
【図３】実施例のローパスフィルターの値と、それに対応する遮断周波数及び演奏会場の大きさを示す表である。
【考案を実施するための形態】
【００１０】  以下、本考案の実施の形態を図に基づいて説明する。
【実施例１】
【００１１】  図１は、フロントとリアに入力インピーダンス６Ωのスピーカーをスピーカーマトリックスで接続し、図２のローパスフィルターで高域を減衰させる場合の作成例である。ローパスフィルターＡとＢは４回路３接点のロータリースイッチで連動し、３段階に切り替えることができる。図３にはこの実施例で用いたＬ（ｍＨ）、Ｃ（μＦ）の３段階の値とその時の遮断周波数が示されているが、それぞれ大中小の演奏会場の大きさに対応している。
【符号の説明】
【００１２】Ｒ（Ω）    スピーカーの入力インピーダンス。
Ｌ（ｍＨ）  ローパスフィルターのコイルのインダクタンス。
Ｃ（μＦ）  ローパスフィルターのコンデンサーのキャパシタンス。
【図１】
0003200737.tif 000003
【図２】
0003200737.tif 000004
【図３】
0003200737.tif 000005
【手続補正書】
【提出日】平成27年4月24日(2015.4.24)
【手続補正１】
【補正対象書類名】図面
【補正対象項目名】全図
【補正方法】変更
【補正の内容】
【図１】
0003200737.tif 000006
【図２】
0003200737.tif 000007
【図３】
0003200737.tif 000008
【手続補正書】
【提出日】平成27年6月11日(2015.6.11)
【手続補正１】
【補正対象書類名】実用新案登録請求の範囲
【補正対象項目名】全文
【補正方法】変更
【補正の内容】
【実用新案登録請求の範囲】
【請求項１】
左右のスピーカーのマイナス極同士を結線し、左のスピーカーのプラス極をアンプの出力端子のＬのプラス極に、右のスピーカーのプラス極をアンプの出力端子のＲのプラス極に接続する際、つまり、スピーカーをアンプにマトリックス接続する際に、図１及び図２のように、１２ｄＢ／ｏｃｔのローパスフィルターを通して接続するスピーカーマトリックス。
【手続補正２】
【補正対象書類名】図面
【補正対象項目名】全図
【補正方法】変更
【補正の内容】
【図１】
0003200737.tif 000009
【図２】
0003200737.tif 000010
【図３】
0003200737.tif 000011
【手続補正書】
【提出日】平成27年8月6日(2015.8.6)
【手続補正１】
【補正対象書類名】実用新案登録請求の範囲
【補正対象項目名】全文
【補正方法】変更
【補正の内容】
【実用新案登録請求の範囲】
【請求項１】
左右のスピーカーのマイナス極同士を結線し、左のスピーカーのプラス極をアンプの出力端子のＬのプラス極に、右のスピーカーのプラス極をアンプの出力端子のＲのプラス極に接続する際、つまり、スピーカーをアンプにマトリックス接続する際に、１２ｄＢ／ｏｃｔのローパスフィルターを通して接続するスピーカーマトリックス。
(57)【要約】      （修正有）【課題】層の面積を広くし層を増やし電力を向上することができるマグネシュウム竹炭素電池を提供する。【解決手段】銅板３と、ケッチエンブラック板４と、セパレートシート５と、マグネシュウム合金６の４つの層を重ねて構成した４層モジュールを有するマグネシュウム竹炭素電池において、ケッチエンブラック板４に、硫酸銅と塩化ナトリュウムと塩化カルシュウムの混合物を塗布する。【選択図】図１
0003200733.tif 000002
【実用新案登録請求の範囲】
【請求項１】
図１の４層モジュールのなかのケッチエンブラック部に竹炭や硫酸銅・塩化ナトリュウム・塩化カルシュウムを塗布したマグネシュウム電池
【考案の詳細な説明】
【技術分野】
【０００１】  本考案はマグネシュウム電池に関するものである。
【背景技術】
【０００２】  従来のマグネシュウム電池は小型化で３層構造が多く電力が低い
【考案の概要】
【考案が解決しようとする課題】
【０００３】  層の面積を広くし層を増やし電力をいかにあげるかが課題である
【課題を解決するための手段】
【０００４】  形状に関係なく面積を平面的に広げ４層にして特にケッチエンブラック（微細中空高電導炭素板）に別の炭素粒子や塩化粒子を塗布し電力を向上する
【考案の効果】
【０００５】  本考案によりモジュール形じょうが板じょうのため製品内臓空間に合わせた型に電池を作ることができしかも電力を向上することもできる効果がある
【考案を実施するための最良の形態】
【実施例】
【０００６】  本考案の図面に従って説明する、図１は４層モジュール構造図で１は３銅板に接続した正電極端子で６マグネシュウム合金に接続した２負電極端子４ケッチエンブラック（微細中空高電導炭素粒を板じょうに固めた板）に竹炭粒・硫酸銅・塩化ナトリュウム・塩化カルシュムを混ぜ合わせたものを４ケッチエンブラックにまんべんなく塗布したもの５セパレートシート（毛細管現象の吸水性の高い紙フィルター）６マグネシュウム合金版（イオン化電子発生板）図２のように４層を重ね７イオン化水電解液カートリッジ（電解液の吸水性を高めたスポンジ加工ケース）で固定し５セパレートシートや各モジュウルに電解液が浸透させ１セルとし電池が完成する、１セル１．２Ｖを重ねることで簡単に電圧を自由に作り出すことができる。
【図面の簡単な説明】
【０００７】
【図１】  ４層モジュウル構造図
【図２】  マグネシュウム竹炭素電池完成図
【符号の説明】
【０００８】１  正電極端子
２  負電極端子
３  銅板
４  ケッチエンブラック板
５  セパレートシート
６  マグネシュウム合金
７  イオン化水電解液カートリッジ
【図１】
0003200733.tif 000003
【図２】
0003200733.tif 000004
【手続補正書】
【提出日】平成27年5月28日(2015.5.28)
【手続補正１】
【補正対象書類名】実用新案登録請求の範囲
【補正対象項目名】全文
【補正方法】変更
【補正の内容】
【実用新案登録請求の範囲】
【請求項１】
１銅板と２ケッチエンブラック板に竹炭と流酸銅と塩化ナトリュウムと塩化カルシュウムを混ぜ合わせまんべんなく塗布した板３セパレートシート板４マグネシュウム合金板の４層モジュール板をかさねた板状のマグネシュウム竹炭素電池。
【手続補正書】
【提出日】平成27年8月7日(2015.8.7)
【手続補正１】
【補正対象書類名】実用新案登録請求の範囲
【補正対象項目名】全文
【補正方法】変更
【補正の内容】
【実用新案登録請求の範囲】
【請求項１】
銅板（３）と、ケッチエンブラック坂（４）と、セパレートシート（５）と、マグネシュウム合金（６）の４つの層を重ねて構成した４層モジュールを有するマグネシュウム竹炭素電池において，前記ケッチエンブラック板（４）に、硫酸銅と塩化ナトリュウムと塩化カルシュウムの混合物を塗布したことを特徴とするマグネシュウム竹炭素電池。
(57)【要約】      （修正有）【課題】スノーシューとワカンの利点を生かし、雪上登山を快適に機能を発揮出来る雪上登山歩行器具を提供する。【解決手段】フレームパイプ１と、デッキと、マスターベルト４と、マスターベルト４に取り付けるアブミ装具とからなるシンプルで軽い雪上登山歩行器具であって、アブミ装具が、マスターベルト４の両端からアブミロープ６とフック環９で登山靴１０に取り付けてあるアイゼン爪８をひっかけアブミ状態に吊り下げる装具である。乗馬で足を乗せるアブミの様に、雪上登山歩行器具から吊り下げる形状で、アイゼンを履いた登山靴を装着できる。【選択図】図２
0003200738.tif 000002
【実用新案登録請求の範囲】
【請求項１】
フレーム部材とデッキ部材及びマスターベルトに取り付けるアブミ装具から成るシンプルで軽い雪上登山歩行器具に、マスターベルトの両端から図３のアブミロープとフック環で登山靴に取り付けてあるアイゼン爪をひっかけ、図２のようにアブミ状態に吊り下げる装具からなる、雪上登山歩行器具。
【請求項２】
請求項１のフック環は片足毎の内側および外側の前後それぞれ２本づつ計４本のアイゼン爪にひっかけ吊り下げる事のできる請求項１記載の雪上登山歩行器具。
【考案の詳細な説明】
【技術分野】
【０００１】
本考案は、スノーシューやワカンと同様に、雪上での行動を容易にする為の履物である。
【背景技術】
【０００２】
スノーシューやワカン・スキーなどは、その器具に足を乗せることによって、機能させていたが、器具の長さが裏目に出て滑る等扱いにくくなる。
しかし一定の長さが雪面から沈み込まないためには必要である、この一定の長さで携帯時の重量や機能性を発揮させることとしたい。
【先行技術文献】
【特許文献】
【０００３】
【特許文献１】スノーシューやワカン等の雪上歩行器具は特許公開２００３−１２５８０８  ・  特許公開２０１２−１０１０７１などの先行技術文献がある。このような器具を、より使い勝手の良いものにしたものである。
【考案の概要】
【考案が解決しようとする課題】
【０００４】
従来のスノーシューでは踏み固められた雪の急な登りや、凍った斜面の横断はスノーシューの裏に付いている突起金具が充分機能しないため滑り歩けない。  また、突起金具等の部品が付いているため左右一対で２キログラム以上になり、登山者の携帯に向かない。これを左右一対で１キログラム程度にする。雪山登山では、雪の状態が目まぐるしく変わる、しかしその都度アイゼンとスノーシューを履き替えることは、非常に困難である。
【課題を解決するための手段】
【０００５】
手段その１    軽量化を図るため、雪上登山歩行器具本体はフレームとデッキおよびマスターベルト・アブミ取り付け装具とする。
雪上登山歩行器具本体は、アルミパイプ等で製作し、デッキ部分はビニールシート等の軽い素材、またマスターベルトはナイロン等の柔軟性のある材料で製作する。
手段その２    雪上登山歩行器具本体のデッキ部分は登山靴大の孔部を開けアイゼンを履いた靴を通せるものとし、フレームパイプ間にマスターベルトを張る。
手段その３    アイゼンを履いた靴を、足首がマスターベルトに来るまで通し、このマスターベルトとアイゼンの金具を、図２の様にしっかりアブミ状態に取り付ける。
【考案の効果】
【０００６】
効果その１    シンプルな構造であり、一般的なスノーシューの半分程度の重量で製作でき、非常時の携帯用として登山に持っていける。
効果その２    凸凹の踏み固められた急な登り及びアイスバーンの斜面でも、アブミ式であるので、登山靴のアイゼンがしっかり利き滑り落ちることがなく登れる。
効果その３    ワカン程度のシンプルさであるので、登山ザックに取り付けても、邪魔にならなく、突起部がないため安全である。
効果その４    シンプルであるため、安価で製作できる。
効果その５    風に雪がとばされたガレ場でも、雪上登山歩行器具に大きな負担を掛けることなく歩くことができる。
【図面の簡単な説明】
【０００７】
【図１】図１はシンプル簡素化された雪上登山歩行器具であり１のフレームパイプと２・３のデッキおよび４のマスターベルトから成る。５の孔部から登山靴に固定されたアイゼンを通しマスターベルトに足を吊り下げる方法で装着させる。
【図２】この図は登山靴に装着させた雪上登山歩行器具を図にしたものである。  図１の５孔部から通した靴の８アイゼン爪に、９フック環をひっかけ４マスターベルトに６アブミロープでしっかり結んだ図である。  ４マスターベルトを支点とし１フレームパイプは上下シーソ状に動く状態に取り付ける。
【図３】これは図２に登山靴に取り付けた、９フック環と８アイゼン爪を拡大した図であり装着例として図にした雪上登山歩行器具の装具である。
【産業上の利用可能性】
【０００８】
この考案は、スキー場や平原だけで使用する物ではなく、雪上の登山者を対象にしている器具であり、過酷な条件での使用でも機能できるものとして考えたものである。
【図１】
0003200738.tif 000003
【図２】
0003200738.tif 000004
【図３】
0003200738.tif 000005
【手続補正書】
【提出日】平成27年6月29日(2015.6.29)
【手続補正１】
【補正対象書類名】実用新案登録請求の範囲
【補正対象項目名】請求項１
【補正方法】変更
【補正の内容】
【請求項１】
フレーム部材とデッキ部材及びマスターベルトに取り付けるアブミ装具からなるシンプルで軽い雪上歩行器具に、マスターベルトの両端からアブミロープとフック環で登山靴に取り付けてあるアイゼン爪をひっかけアブミ状態に吊り下げる装具からなる、雪上登山歩行器具。
【手続補正書】
【提出日】平成27年8月24日(2015.8.24)
【手続補正１】
【補正対象書類名】実用新案登録請求の範囲
【補正対象項目名】請求項１
【補正方法】変更
【補正の内容】
【請求項１】
フレーム部材と、デッキ部材と、マスターベルトと、前記マスターベルトに取り付けるアブミ装具とからなるシンプルで軽い雪上登山歩行器具であって、前記アブミ装具が、前記マスターベルトの両端からアブミロープとフック環で登山靴に取り付けてあるアイゼン爪をひっかけアブミ状態に吊り下げる装具であることを特徴とする、雪上登山歩行器具。
(57)【要約】      （修正有）【課題】日常生活や睡眠時のゴムの締め付け、レースによるかぶれやかゆみ等の不快感をなくすとともに、ポケットにたたんで収納できる女性用紐ショーツを提供する。【解決手段】肌にふれる裏布４に綿ガーゼを使用し、表布３にも綿生地を使用する。ゴムやレースを省き綿生地でウェスト紐１、２と太もも用バイヤステープ６を作り、ショーツに縫付け、両腰で縛り固定することで不快感を防止する。裏布に収納ポケット７を、肌が触れる部分はガーゼ生地、袋の部分は表生地を使用して縫付けることにより、紐を収納し整理よくたたむことができるようにした。【選択図】図２
0003200735.tif 000002
【実用新案登録請求の範囲】
【請求項１】
女性用ショーツに表布用  綿の布地と裏布用  ２枚重ね綿ガーゼの生地で作り、ウエスト、太ももには、表布用  綿のバイヤステープを縫いつける。ウエストは、バイヤステープで紐により両腰で固定する。股部分には、裏布２枚重ねガーセを縫い付け補強する。  裏布に収納ポケットを縫付け、ショーツやウエスト紐を収納する。
【考案の詳細な説明】
【技術分野】
【０００１】  本考案は、女性用のショーツを綿生地とガーゼ生地を使用し、ウエストや太ももにゴムを使用しないショーツである。また、ウエスト紐を収納するポケットを付けたものである。
【背景技術】
【０００２】  日常の生活や睡眠時など下着のゴムの締めつけ、レースによるかぶれやかゆみ等の不快感があった。また、ウエスト紐が長く、まとまらなかった。
【考案の概要】
【考案が解決しようとする課題】
【０００３】  ウエストや太ももにゴムを使用せずに履けるショーツにする。また、直接  肌に触れる生地を綿にしてかぶれやかゆみ等の不快感を無くし、快適、快眠にすること。また、裏布にポケット作りウエスト紐を畳み入れ収納することを課題とする。
【課題を解決するための手段】
【０００４】  ウエスト部分を表布綿で作ったバイヤステープを前後身ごろに縫い付けウエストの左右で固定する。裏布に収納ポケットを縫付ける。太もも部分には、表布綿で作ったバイヤステープを縫い付ける。ショーツの生地は、綿生地とガーゼを使用することで解決される。
【考案の効果】
【０００５】    下着の締付や素材によるかぶれやかゆみ等が無くなり不快感もなく快適、快眠される効果がある。また、収納ポケットに折り畳むことでウエスト紐が長くても邪魔にならずきまりよくなる。
【図面の簡単な説明】
【図１】考案したショーツの装着時を示した正面図である。
【図２】考案したショーツを示した正面図である。
【考案を実施するための形態】
ウエスト用のひもを左右の腰に結び装着する。
【実施例】    以下、添付図面に従って一実例を説明する。  ４．裏布に５．股部分に２枚重ねガーゼを縫い付け補強する。７．の収納用ポケットを縫付ける。３．４．裏表を重ね合わせ６．太もも用バイヤステープで縫い合わせる。１．後身頃用  ウエストひもでお尻側のウエスト部分に縫い付ける。２．前身頃用  ウエストひもで腹部側のウエスト部分に縫い付ける。
【産業上の利用可能性】
【符号の説明】１．後身頃用  ウエストひも
２．前身頃用  ウエストひも
３．表布
４．裏布
５．股布
６．太もも用  バイヤステーブ
７．ショーツ収納ポケット
【図１】
0003200735.tif 000003
【図２】
0003200735.tif 000004
【手続補正書】
【提出日】平成27年6月8日(2015.6.8)
【手続補正１】
【補正対象書類名】実用新案登録請求の範囲
【補正対象項目名】請求項１
【補正方法】変更
【補正の内容】
【請求項１】
（１）  女性用ショーツに表布用綿の布地と裏布用２枚重ね綿ガーゼの生地で作り、
（２）  ウエスト、太ももには、表布用綿のバイヤステープを縫いつけ、
（３）  ウエストは、バイヤステープで紐により両腰で固定、
（４）  股部分には、裏布２枚重ねガーセを縫い付け補強、
（５）  裏布に収納ポケットを縫付け、ショーツやウエスト紐を収納、
以上の（１）〜（５）の構成からなる女性用紐ショーツ綿、ガーゼ使用ウエストゴムなし。
【手続補正書】
【提出日】平成27年8月5日(2015.8.5)
【手続補正１】
【補正対象書類名】実用新案登録請求の範囲
【補正対象項目名】全文
【補正方法】変更
【補正の内容】
【実用新案登録請求の範囲】
【請求項１】
表布を綿とし、裏布をガーゼとした女性用のショーツであって、
ウエストおよび太ももに該当する部分に縫い付けられたバイヤステープと、前身頃と後身頃に、それぞれ取り付けられたウエスト用紐と、裏布に縫い付けられた収納ポケットとを有することを特徴とする女性用紐ショーツ。